(57)【特許請求の範囲】
【請求項１】
（Ａ）成分：アニオン界面活性剤、
（Ｂ）成分：下式（１）で表されるノニオン界面活性剤、および
（Ｃ）成分：アミンオキシド型界面活性剤及びベタイン型界面活性剤の両方を含有し、ベタイン型界面活性剤／アミンオキシド型界面活性剤で表される質量比が１．５〜２．０であり、
前記（Ａ）成分がスルホン酸型アニオン界面活性剤（Ａ１）として（ａ１）アルキルベンゼンスルホン酸塩、及び（ａ３）α−オレフィンスルホン酸塩からなる群から選ばれる１種以上を含有し、
（Ａ）成分／界面活性剤総量で表される質量比が０．０５〜０．３であり、（Ｂ）成分／（Ｃ）成分で表される質量比が０．５〜２．０であり、界面活性剤総量が６〜３５質量％である、食器洗い用洗浄剤組成物。
【化１】
0006678067.tif 000009
［式中、ＡＯはオキシエチレン基を表す。ｍはＡＯの平均繰り返し数を表し、６〜１２で
ある。ｘとｙはそれぞれ１〜６の整数であり、６≦ｘ＋ｙ≦１２である。］
【請求項２】
さらに（Ｄ）成分として、下式（３）で表され、Ｒ５の炭素数が１０〜１４であるアルキルポリグルコシドを５〜２０質量％含有する、請求項１に記載の食器洗い用洗浄剤組成物。
Ｒ５−Ｏ−［Ｇ］ｙ  …（３）
式中、Ｒ５は直鎖状もしくは分岐鎖状のアルキル基を示し、Ｇはグルコシド残基を示す。ｙは平均で１〜５の数を示す。
【発明の詳細な説明】
【技術分野】
【０００１】
本発明は食器洗い用洗浄剤組成物に関する。
【背景技術】
【０００２】
近年、消費者の生活スタイルの変化からも食器洗い行動において「手早さ」が重視されている。「手早さ」に繋がる重要な要因としては、しっかり油汚れが落ちる「洗浄力」に加えて、食器洗浄後の「水切れ性」が挙げられ、これらが両立されることが望まれる。
特許文献１や特許文献２には、カチオン性を有する高分子化合物を活用して洗浄性と水切れ性に優れた洗浄剤組成物が開示されている。
【先行技術文献】
【特許文献】
【０００３】
【特許文献１】特開２００３−１５５４９９号公報
【特許文献２】特開２００５−２６４００９号公報
【発明の概要】
【発明が解決しようとする課題】
【０００４】
特許文献１、２に記載されているカチオン性の高分子化合物は、優れた水切れ性に寄与するものの、溶解性が充分とは言えないため製造に手間がかかり、かかる高分子化合物を用いなくとも水切れ性を向上できる技術が望まれている。
本発明は、かかるカチオン性の高分子化合物を用いなくても、洗浄力と水切れ性を両立できる食器洗い用洗浄剤組成物を提供することを目的とする。
【課題を解決するための手段】
【０００５】
本発明は以下の態様を有する。
［１］（Ａ）成分：アニオン界面活性剤、（Ｂ）成分：下式（１）で表されるノニオン界面活性剤、および（Ｃ）成分：アミンオキシド型界面活性剤及びベタイン型界面活性剤の一方または両方を含有し、前記（Ａ）成分がスルホン酸型アニオン界面活性剤（Ａ１）を含有し、（Ａ）成分／界面活性剤総量で表される質量比が０．０２〜０．４５である、食器洗い用洗浄剤組成物。
【０００６】
【化１】
0006678067.tif 000002
【０００７】
［式中、ＡＯはオキシエチレン基を表す。ｍはＡＯの平均繰り返し数を表し、６〜１２である。ｘとｙはそれぞれ１〜６の整数であり、６≦ｘ＋ｙ≦１２である。］
［２］（Ｂ）成分／（Ｃ）成分で表される質量比が０．３〜５．０である、［１］の食器洗い用洗浄剤組成物。
［３］（Ｄ）成分：（Ｂ）成分以外のノニオン界面活性剤をさらに含有する、［１］または［２］の食器洗い用洗浄剤組成物。
［４］（Ｃ）成分として、アミンオキシド型界面活性剤及びベタイン型界面活性剤の両方を用いる、［１］〜［３］のいずれかの食器洗い用洗浄剤組成物。
【０００８】
［５］洗浄剤組成物に対して界面活性剤総量が４〜４０質量％である、［１］の食器洗い用洗浄剤組成物。
［６］洗浄剤組成物に対して（Ａ）成分の含有量が０．２〜２０質量％である、［１］の食器洗い用洗浄剤組成物。
［７］（Ａ）成分に対して（Ａ１）成分の含有量が４０質量％以上である、［１］の食器洗い用洗浄剤組成物。
［８］洗浄剤組成物に対して（Ｂ）成分の含有量が１〜６質量％である、［１］の食器洗い用洗浄剤組成物。
［９］洗浄剤組成物に対して（Ｃ）成分の含有量が０．５〜１２質量％である、［１］の食器洗い用洗浄剤組成物。
［１０］ベタイン型両性界面活性剤／アミンオキシド型界面活性剤の質量比が０．１５〜７である、［１］の食器洗い用洗浄剤組成物。
［１１］洗浄剤組成物に対して（Ｄ）成分の含有量が３０質量％以下である、［３］の食器洗い用洗浄剤組成物。
【発明の効果】
【０００９】
本発明の食器洗い用洗浄剤組成物は洗浄力と水切れ性の両方に優れる。
【発明を実施するための形態】
【００１０】
本発明の食器洗い用洗浄剤組成物（以下、単に「洗浄剤組成物」ともいう）は、（Ａ）〜（Ｃ）成分を含有する組成物である。
＜（Ａ）成分＞
（Ａ）成分はアニオン界面活性剤である。（Ａ）成分は、スルホン酸型アニオン界面活性剤（Ａ１）を含有する。さらに
【００１１】
［（Ａ１）成分］
（Ａ１）成分としては、一般に洗浄剤に用いられるスルホン酸型アニオン界面活性剤を用いることができる。
（Ａ１）成分は、直鎖状または分岐鎖状の、アルキル基またはアルケニル基を有するものが好ましい。（Ａ１）成分は塩であることが好ましい。
（Ａ１）成分として、例えば（ａ１）アルキルベンゼンスルホン酸塩、（ａ２）アルカンスルホン酸塩、（ａ３）α−オレフィンスルホン酸塩、（ａ４）下式（Ｉ）で表されるα−スルホ脂肪酸アルキルエステル塩、（ａ５）スルホコハク酸塩等が挙げられる。
下式（Ｉ）において、Ｒ１０は炭素数８〜１８の炭化水素基であり、Ｒ２０は炭素数１〜６の炭化水素基であり、Ｍは対イオンである。
【００１２】
【化２】
0006678067.tif 000003
【００１３】
（ａ１）のアルキル基の炭素数は１０〜２１が好ましく、１０〜１８がより好ましく、１０〜１６がさらに好ましい。特にアルキル基の炭素数が１０〜１５である直鎖アルキルベンゼンスルホン酸塩が好ましい。
（ａ２）の炭素数は１０〜２１が好ましく、１０〜１８がより好ましく、１０〜１６がさらに好ましい。特に炭素数が１３〜１８である第２級アルカンスルホン酸塩が特に好ましい。
（ａ３）の炭素数は１０〜２１が好ましく、１０〜１８がより好ましく、１０〜１６がさらに好ましい。特に炭素数１２〜１６のα−オレフィンスルホン酸塩が好ましい。
（ａ４）において、上式（Ｉ）のＲ１０は炭素数１０〜２１のアルキル基であることが好ましく、炭素数１０〜１８のアルキル基がより好ましく、１０〜１６のアルキル基がさらに好ましい。
【００１４】
（Ａ１）成分を構成する塩としては、ナトリウム塩、カリウム塩等のアルカリ金属塩；マグネシウム塩、カルシウム塩等のアルカリ土類金属塩；モノエタノールアミン塩（モノエタノールアンモニウム）、ジエタノールアミン塩（ジエタノールアンモニウム）、トリエタノールアミン塩（トリエタノールアンモニウム）等のアルカノールアミン塩；アンモニウム塩などが挙げられる。
（Ａ１）成分は１種単独で用いてもよく、２種以上を併用してもよい。
（Ａ１）成分は、洗浄性と水切れ性を両立しやすい点で前記（ａ１）、（ａ２）、および（ａ３）からなる群から選ばれる１種以上が好ましく、前記（ａ１）および（ａ３）からなる群から選ばれる１種以上がより好ましい。
【００１５】
［（Ａ１）成分以外のアニオン界面活性剤］
（Ａ）成分は、（Ａ１）成分以外のアニオン界面活性剤を含有してもよい。たとえば、硫酸エステル塩型アニオン界面活性剤、カルボン酸塩型アニオン界面活性剤、リン酸エステル型アニオン界面活性剤タイプが挙げられる。
硫酸エステル塩型アニオン界面活性剤としては、アルキル硫酸エステル塩、アルケニル硫酸エステル塩、ポリオキシアルキレンアルキルエーテル硫酸エステル塩、ポリオキシアルキレンアルケニルエーテル硫酸エステル塩等が挙げられる。
カルボン酸塩型アニオン界面活性剤としては、アルキルエーテルカルボン酸塩、アミドエーテルカルボン酸塩、アミノ酸系アニオン界面活性剤等が挙げられる。
（Ａ１）成分以外のアニオン界面活性剤は、炭素数８〜１８のアルキル基を有するもの、又は、炭素数８〜１８のアルケニル基を有するものが好ましい。該アルキル基又は該アルケニル基は、直鎖状であっても分岐鎖状であってもよい。
（Ａ１）成分以外のアニオン界面活性剤を構成する塩としては、ナトリウム塩、カリウム塩等のアルカリ金属塩；マグネシウム塩、カルシウム塩等のアルカリ土類金属塩；モノエタノールアミン塩（モノエタノールアンモニウム）、ジエタノールアミン塩（ジエタノールアンモニウム）、トリエタノールアミン塩（トリエタノールアンモニウム）等のアルカノールアミン塩；アンモニウム塩などが挙げられる。
（Ａ１）成分以外のアニオン界面活性剤は１種単独で用いてもよく、２種以上を併用してもよい。
【００１６】
［配合量］
本明細書において（Ａ）〜（Ｄ）成分及び任意成分として配合された界面活性剤の合計量を界面活性剤総量という。
界面活性剤総量に対する（Ａ）成分の含有量の質量比を表す（Ａ）成分／界面活性剤総量は０．０２〜０．４５であり、０．０２〜０．３０が好ましく、０．０５〜０．３がより好ましい。（Ａ）成分／界面活性剤総量の質量比が上記の範囲であると洗浄力と水切れ性の両方に優れる。
洗浄剤組成物中の界面活性剤総量は４〜４０質量％が好ましく、６〜３５質量％がより好ましく、８〜２６質量％が特に好ましい。界面活性剤総量が上記下限値以上であると、洗浄剤組成物の粘度をより高めやすい。界面活性剤総量が上記上限値以下であると、界面活性剤以外の成分の配合量を適切に調整しやすい。
洗浄剤組成物に対して（Ａ）成分の含有量は０．２〜２０質量％が好ましく、０．３〜９質量％がより好ましく、０．５〜５質量％がさらに好ましく、０．５〜３．０質量％が特に好ましい。上記の範囲であると洗浄力と水切れ性の両方に優れる。
（Ａ）成分に対して（Ａ１）成分の含有量は４０〜１００質量％が好ましく、５０〜１００質量％より好ましく、７０〜１００質量％がさらに好ましく、９０〜１００質量％が特に好ましい。上記範囲であると洗浄力および水切れ性に優れる。
【００１７】
＜（Ｂ）成分＞
（Ｂ）成分は下式（１）で表されるノニオン界面活性剤である。式（１）中、ＡＯはオキシエチレン基を表す。ｘとｙはそれぞれ１〜６の整数であり、かつ６≦ｘ＋ｙ≦１２である。ｍはＡＯの平均繰り返し数を表し６〜１２である。式（１）で表される化合物は、ＡＯの繰り返し数が互いに異なる分子の集合体である。
【００１８】
【化３】
0006678067.tif 000004
【００１９】
式（１）において、ｍが６以上であると洗浄力に優れ、１２以下であると水切れ性に優れる。ｍは６〜１０が好ましく、９〜１０が特に好ましい。
式（１）において、洗浄力および水切れ性に優れる点で、ｘとｙがそれぞれ１〜６の整数であり、かつ６≦ｘ＋ｙ≦１０であることが好ましく、６≦ｘ＋ｙ≦８がより好ましく、ｘ＋ｙ＝８が特に好ましい。
式（１）中のＣｘＨ２ｘ＋１、ＣｙＨ２ｙ＋１としてはそれぞれ、直鎖状又は分岐鎖状のアルキル基が挙げられ、直鎖状のアルキル基であることが好ましい。たとえばメチル基、エチル基、プロピル基、ブチル基、ペンチル基、ヘキシル基が好適なものとして挙げられる。特にＣｘＨ２ｘ＋１とＣｙＨ２ｙ＋１との組み合わせが、エチル基とブチル基との組合せまたはプロピル基とペンチル基との組合せであることが好ましく、プロピル基とペンチル基との組合せが特に好ましい（いずれの組み合わせにおいても、一方がどちらの基であってもよい）。
【００２０】
（Ｂ）成分としては、ガーベット反応による２分子縮合で得られた、β位に分岐構造を有するアルコールのエチレンオキシド付加物が特に好適なものとして挙げられる。
具体例として、ＢＡＳＦ社製のポリオキシエチレンモノ（２−プロピルへプチル）エーテルが挙げられる。具体的には、Ｌｕｔｅｎｓｏｌ  ＸＰ６０（商品名、式（１）におけるｍ＝６の化合物）、Ｌｕｔｅｎｓｏｌ  ＸＰ９０（商品名、式（１）におけるｍ＝９の化合物）、Ｌｕｔｅｎｓｏｌ  ＸＰ１００（商品名、式（１）におけるｍ＝１０の化合物）が挙げられる。
［配合量］
洗浄剤組成物に対して、（Ｂ）成分の含有量は１〜６質量％が好ましく、２〜５．５質量％がより好ましい。上記の範囲であると洗浄力と水切れ性の両方に優れる。
【００２１】
＜（Ｃ）成分＞
（Ｃ）成分は、アミンオキシド型界面活性剤及びベタイン型界面活性剤の一方または両方である。アミンオキシド型界面活性剤は半極性界面活性剤であり、ベタイン型界面活性剤は両性界面活性剤である。
本明細書において、「半極性界面活性剤」とは、半極性結合（無極性結合及び極性結合の中間の性質を有する結合）を有する界面活性剤のことであり、半極性界面活性剤が溶解する溶液又は分散する分散系のｐＨにより、陽イオン性、陰イオン性、又は両極性となるものをいう。
【００２２】
［アミンオキシド型界面活性剤］
アミンオキシド型界面活性剤としては、たとえばアルキルアミンオキシド、アルキルアミドプロピルジメチルアミンオキシドが挙げられる。
中でも下式（２）で表される化合物が好適である。
【００２３】
【化４】
0006678067.tif 000005
【００２４】
［式中、Ｒ１は、炭素数８〜１８の直鎖状若しくは分岐鎖状のアルキル基又はアルケニル基であり；Ｒ２、Ｒ３は、それぞれ独立して炭素数１〜３のアルキル基又はヒドロキシアルキル基であり；Ｒ４は炭素数１〜４のアルキレン基である。Ｂは−ＣＯＮＨ−、−ＮＨＣＯ−、−ＣＯＯ−、−ＯＣＯ−又は−Ｏ−であり；ｒは０又は１の数である。］
式（２）中、Ｒ１は、炭素数８〜１８の直鎖状若しくは分岐鎖状のアルキル基、又は炭素数８〜１８の直鎖状若しくは分岐鎖状のアルケニル基であり、炭素数８〜１８の直鎖状若しくは分岐鎖状のアルキル基が好ましい。
Ｒ１のアルキル基、アルケニル基において、炭素数は８〜１８であり、油汚れに対する洗浄力がより向上することから、１０〜１４であることが好ましい。
Ｒ２、Ｒ３は、それぞれ独立して、炭素数１〜３のアルキル基、又は炭素数１〜３のヒドロキシアルキル基であり、炭素数１〜３のアルキル基が好ましく、メチル基がより好ましい。Ｒ２およびＲ３はいずれもメチル基であることがさらに好ましい。
Ｒ４は、炭素数１〜４のアルキレン基である。
Ｂは−ＣＯＮＨ−、−ＮＨＣＯ−、−ＣＯＯ−、−ＯＣＯ−又は−Ｏ−である。ｒは、０又は１の数であり、０が好ましい。
【００２５】
アミンオキシド型界面活性剤の具体例として、ラウリルジメチルアミンオキシド、ヤシアルキルジメチルアミンオキシド、ラウリルジエチルアミンオキシド、ラウリン酸アミドプロピルジメチルアミンオキシド等が挙げられる。なかでも、洗浄力が特に良好であることから、ラウリルジメチルアミンオキシドが好ましい。市販品では、例えばライオン・アクゾ株式会社製の「アロモックスＤＭ１２Ｄ−Ｗ」などが挙げられる。
アミンオキシド型界面活性剤は１種でもよく、２種以上を併用してもよい。
【００２６】
［ベタイン型界面活性剤］
ベタイン型界面活性剤としては、たとえば、アミノ酢酸ベタイン（アルキルベタイン、アルキルアミドベタインなど）、スルホベタイン（アルキルヒドロキシスルホベタインなど）が挙げられる。
ベタイン型両性界面活性剤として具体的には、ラウリルジメチルアミノ酢酸ベタイン、ラウリン酸アミドプロピルジメチルアミノ酢酸ベタイン、ヤシ油脂肪酸アミドプロピルジメチルアミノ酢酸ベタイン（コカミドプロピルベタイン）等のアミノ酢酸ベタイン；Ｎ−ラウリル−Ｎ，Ｎ−ジメチルアンモニウム−Ｎ−プロピルスルホベタイン、Ｎ−ラウリル−Ｎ，Ｎ−ジメチルアンモニウム−Ｎ−（２−ヒドロキシプロピル）スルホベタイン、Ｎ−ラウリル−Ｎ，Ｎ−ジメチル−Ｎ−（２−ヒドロキシ−１−スルホプロピル）アンモニウムスルホベタイン等のスルホベタインが挙げられる。
なかでも、水切れ性が特に良好であることから、アミノ酢酸ベタインが好ましい。
ベタイン型界面活性剤は１種でもよく、２種以上を併用してもよい。
【００２７】
［配合量］
洗浄剤組成物に対して、（Ｃ）成分の含有量は０．５〜１２質量％が好ましく、０．５〜６．０％がより好ましい。上記の範囲であると洗浄力と水切れ性の両方に優れる。
また、（Ｃ）成分の含有量に対する（Ｂ）成分の含有量の質量比を表す（Ｂ）成分／（Ｃ）成分は０．３〜５．０が好ましく、０．５〜２．０がより好ましい。（Ｂ）成分／（Ｃ）成分が上記の範囲であると優れた洗浄力と水切れ性を両立しやすい。
（Ｃ）成分は、アミンオキシド型界面活性剤及びベタイン型界面活性剤の両方を用いることが水切れ性と洗浄力との両立の観点から好ましい。これらの両方を用いる場合、アミンオキシド型界面活性剤の含有量に対するベタイン型両性界面活性剤の含有量の質量比を表すベタイン型両性界面活性剤／アミンオキシド型界面活性剤は、０．１５〜７が好ましく、０．６〜７がより好ましい。
【００２８】
＜（Ｄ）成分：（Ｂ）成分以外のノニオン界面活性剤＞
（Ｄ）成分は上記（Ｂ）成分以外のノニオン界面活性剤である。アミンオキシド型界面活性剤はノニオン界面活性剤に含まれない。
洗浄剤組成物に、（Ａ）〜（Ｃ）成分に加えて（Ｄ）成分を含有させることにより、主として、泡持続性が向上する。
（Ｄ）成分としては、たとえば、ポリオキシアルキレンアルキルエーテル、アルキルポリグリコシド、脂肪酸モノエタノールアミドが挙げられる。これらのなかでも、水切れ性、洗浄力が良好であることから、アルキルポリグリコシドが好ましい。
【００２９】
［アルキルポリグリコシド］
アルキルポリグルコシドは糖類と高級アルコールとから誘導されるノニオン界面活性剤であり、下式（３）で表される化合物が好ましい。
Ｒ５−Ｏ−［Ｇ］ｙ  …（３）
式中、Ｒ５は炭素８〜２０の直鎖状もしくは分岐鎖状のアルキル基を示し、Ｇはグルコシド残基を示す。ｙは平均で１〜５の数を示す。ｙは平均で１〜３の数が好ましい。
アルキル基（Ｒ５）の炭素数が異なる２種以上のアルキルポリグルコシドの混合物を用いてもよい。Ｒ５の平均炭素数が１０〜１４であることが好ましい。
アルキルポリグルコシドの市販品として花王株式会社製の「マイドール１２」が挙げられる。
【００３０】
［配合量］
洗浄剤組成物に（Ｄ）成分を含有させる場合、洗浄剤組成物に対して（Ｄ）成分の含有量が３０質量％以下が好ましく、２０質量％以下がより好ましい。上記上限値以下であると、洗浄力と水切れ性の両方に優れる。該（Ｄ）成分の含有量の下限値はゼロ超であり、泡持続性の向上効果に優れる点で３質量％以上が好ましく、５質量％以上がより好ましく、１０質量％以上がさらに好ましい。
【００３１】
＜水＞
本発明の洗浄剤組成物は、製造時のハンドリングのし易さ、使用する際の水への溶解性等の点から、水を含有することが好ましい。
【００３２】
＜任意成分＞
本発明の洗浄剤組成物には、本発明の効果を損なわない範囲で必要に応じて、上述した成分以外の任意成分が配合されてもよい。
任意成分としては、特に限定されず、通常、食器用洗剤に配合される成分が挙げられ、例えば（Ａ）〜（Ｄ）成分以外の界面活性剤、ハイドロトロープ剤、ｐＨ調整剤、漂白成分、金属捕捉成分、ラジカルトラップ剤、香料などが挙げられる。
洗浄剤組成物のｐＨ（２５℃）は、５〜８が好ましく、５〜６がより好ましい。必要に応じてｐＨ調整剤を添加する。
【００３３】
［ハイドロトロープ剤］
ハイドロトロープ剤は、主として、洗浄剤組成物の保存安定性（特に低温安定性）を向上させ、透明外観の安定性に寄与する。
ハイドロトロープ剤として具体的には、芳香族スルホン酸又はその塩、芳香族カルボン酸又はその塩、炭素数２〜４のアルコール、又はこれら以外の水溶性溶剤が挙げられ、１種以上を使用できる。
（芳香族スルホン酸塩・芳香族カルボン酸塩）
芳香族スルホン酸としては、トルエンスルホン酸、クメンスルホン酸、キシレンスルホン酸、置換もしくは非置換ナフタレンスルホン酸などが挙げられ、なかでもトルエンスルホン酸、クメンスルホン酸が好ましい。
トルエンスルホン酸、クメンスルホン酸は、それぞれｏ体、ｍ体、ｐ体の３異性体のいずれでもよく、これらのなかでも容易に入手が可能なことからｐ体が好ましく、そのなかでも、ｐ−トルエンスルホン酸がより好ましい。
芳香族カルボン酸としては、安息香酸などが挙げられる。
芳香族スルホン酸塩または芳香族カルボン酸塩における塩の形態としては、ナトリウム、カリウム等のアルカリ金属の塩；マグネシウム、カルシウム等のアルカリ土類金属の塩；アンモニウム塩；モノエタノールアミン、ジエタノールアミン、トリエタノールアミン等のアルカノールアミン塩が挙げられる。
なかでも、アルカリ金属の塩が好ましく、ナトリウム塩がより好ましい。
【００３４】
（炭素数２〜４のアルコール）
炭素数２〜４のアルコールのうち、１価アルコールとしては、エタノール、１−プロパノール、２−プロパノール、１−ブタノール等が挙げられる。炭素数２〜４の多価アルコールとしては、エチレングリコール、プロピレングリコール、ブチレングリコール、グリセリン等が挙げられる。
（上記以外の水溶性溶剤）
上記以外の水溶性溶剤としては、ポリエチレングリコール、フェニルグリコール等が挙げられる。
洗浄剤組成物に対して、ハイドロトロープ剤の配合量は２〜３０質量％が好ましく、より好ましくは３〜１０質量％である。ハイドロトロープ剤をこのような範囲で配合すると、洗浄力を低下させることなく、その配合効果を得ることができる。
【実施例】
【００３５】
以下に実施例を用いて本発明をさらに詳しく説明するが、本発明はこれら実施例に限定されるものではない。
【００３６】
＜（Ａ）成分＞
Ａ−１：（Ａ１）成分、アルキル基の炭素数が１０〜１４である直鎖アルキルベンゼンスルホン酸ナトリウム（ＬＡＳ）、テイカパワーＬ１２４（商品名、テイカ株式会社製）を水酸化ナトリウムで中和したもの。
Ａ−２：（Ａ１）成分、炭素数１４のα−オレフィンスルホン酸ナトリウム（ＡＯＳ）、リポランＬＢ４４０（商品名、ライオン・スペシャリティ・ケミカルズ株式会社製）。
Ａ−３：（Ａ１）成分、炭素数１４〜１７の第２級アルカンスルホン酸ナトリウム（ＳＡＳ）、ＨＯＳＴＡＰＵＲ  ＳＡＳ  ３０Ａ（商品名、クラリアントジャパン株式会社製）。
Ａ−４：アルキル基の炭素数が１２〜１４、エチレンオキシドの平均付加モル数が３であるポリオキシエチレンアルキルエーテル硫酸ナトリウム（ＡＥＳ（３））、テイカポールＮＥ１２３０（商品名、テイカ株式会社製）。
＜（Ｂ）成分＞
Ｂ−１：ポリオキシエチレンモノ（２−プロピルヘプチル）エーテル（上式（１）におけるｍ＝１０、ｘ＋ｙ＝８の化合物）、Ｌｕｔｅｎｓｏｌ  ＸＰ１００（商品名、ＢＡＳＦ社製）。
Ｂ−２：ポリオキシエチレンモノ（２−プロピルヘプチル）エーテル（上式（１）におけるｍ＝９、ｘ＋ｙ＝８の化合物）、Ｌｕｔｅｎｓｏｌ  ＸＰ９０（商品名、ＢＡＳＦ社製）。
Ｂ−３：ポリオキシエチレンモノ（２−プロピルヘプチル）エーテル（上式（１）におけるｍ＝６、ｘ＋ｙ＝８の化合物）、Ｌｕｔｅｎｓｏｌ  ＸＰ６０（商品名、ＢＡＳＦ社製）。
＜（Ｃ）成分＞
Ｃ−１：コカミドプロピルベタイン（ＣＡＰＢ）、オバゾリンＣＡＢ−３０（商品名、東邦化学工業株式会社製）。
Ｃ−２：ラウリルジメチルアミンオキシド（ＡＸ）、カデナックスＤＭ１２Ｄ−Ｗ（商品名、ライオン・スペシャリティ・ケミカルズ株式会社製）。
＜（Ｄ）成分＞
Ｄ−１：上式（３）で表されＲ５の炭素数が１０〜１４であるアルキルポリグルコシドの混合物、ｙの平均値は１．３、マイドール１２（商品名、花王株式会社製）。
Ｄ−２：アルキル基の炭素数が１２〜１４、エチレンオキシドの平均付加モル数が１５であるポリオキシエチレンアルキルエーテル（ＢＲＥ（１５））、ＬＭＡＯ−９０（商品名、ライオンケミカル株式会社製。）
【００３７】
＜その他成分＞
ｐ−トルエンスルホン酸：ハイドロトロープ剤、テイカトックス３００（商品名、テイカ株式会社製）。
ｐＨ調整剤：水酸化ナトリウム。
水：イオン交換水。
【００３８】
＜実施例１〜２８、比較例１〜７＞
実施例２、５〜９、１２、１３、１５〜１７、２０〜２３、及び２８は参考例である。
表１〜３に示す組成に従い、以下に示す製造方法により、各実施例および比較例の洗浄
剤組成物をそれぞれ調製した。表中の配合量の単位は「質量％」であり、いずれの成分も
純分換算量を示す。水の配合量を示す「バランス」は、洗浄剤組成物に含まれる全配合成
分の合計の配合量（質量％）が１００質量％となるように加えられた残部を意味する。
【００３９】
まず、２００ｍＬビーカーに、（Ａ）成分、（Ｂ）成分、および（Ｄ）成分を入れ、マグネチックスターラにより撹拌した。次いで、全体量が５０質量部になるように水を入れて撹拌した。その後、（Ｃ）成分と、ｐ−トルエンスルホン酸と、ｐＨ調整剤とを加えてｐＨを調整した後、全体量が１００質量部になるように水を加えて、各例の洗浄剤組成物をそれぞれ製造した。
なお、ｐＨ調整剤の「適量」は、洗浄剤組成物のｐＨ（２５℃）を表に示す値に調整するために配合した水酸化ナトリウムの量（１０質量％前後）を示す。
表中、（Ａ）／界面活性剤総量は洗浄剤組成物中の（Ａ）〜（Ｄ）成分の合計含有量に対する（Ａ）成分含有量の割合（質量比）を、（Ｃ）／（Ｂ）は、洗浄剤組成物中の（Ｂ）成分含有量に対する（Ｃ）成分含有量の割合（質量比）である。ノニオン界面活性剤総量は（Ｂ）成分と（Ｄ）成分の合計含有量である。
【００４０】
得られた洗浄剤組成物について下記の方法で洗浄力と水切れ性を評価した。また実施例２５〜２８で得られた洗浄剤組成物については下記の方法で泡持続性も評価した。これらの結果を表に示す。
【００４１】
＜評価方法＞
［洗浄力の評価方法］
牛脂１ｇをタッパ容器（底面が１０ｃｍ×１５ｃｍであり、側面の高さが５ｃｍの直方体であって、上端が開口しているプラスチック容器）の内面全体に均一になるように塗布したものを洗浄対象とした。
１１．５ｃｍ×７．５ｃｍ×３ｃｍの食器洗い用スポンジに、３８ｇの水道水と２ｇの洗浄剤組成物をとり、数回手で揉んだ後、洗浄対象のタッパ容器を通常家庭で行われるのと同様にして洗浄した。洗浄後、２５℃の水道水でよくすすぎ、タッパ容器の内面を手で触ったときの感触に基づいて、下記の基準で洗浄力を評価した。評価Ａ〜Ｃが合格である。
Ａ：タッパ容器内面のいずれの部位を触っても、キュッキュッと音がするような摩擦感があり、油の残留によるぬるつきはまったく感じられない。
Ｂ：角の部位には僅かにぬるつきが残るが、底面および側面を触ると摩擦感があり、油の残留によるぬるつきは感じられない。
Ｃ：側面や角の部位に僅かにぬるつきが残るが、底面を触ると摩擦感があり、油の残留によるぬるつきは感じられない。
Ｄ：タッパ容器内面の全体にぬるつきが感じられ、明らかに油が残留していることがわかる。
【００４２】
［水切れ性の評価方法］                
汚れが付着していない直径２１ｃｍの陶器皿を洗浄対象とした。
１１．５ｃｍ×７．５ｃｍ×３ｃｍの食器洗い用スポンジに、３８ｇの水道水と２ｇの洗浄剤組成物をとり、数回手で揉んだ後、洗浄対象の陶器皿１枚の表面を１０回擦り洗いした。その後、水道水で充分にすすぎ、皿がほぼ垂直になるように、市販の食器かごに立てかけて置き、目視により、陶器皿から水が流れ落ち陶器皿表面全体の５０％の面積に水が付着していない状態になるまでの時間（５０％水切れ時間）を評価した。５０％水切れ時間に基づいて、下記の基準で水切れ性を評価した。評価Ａ〜Ｃが合格である。
Ａ：５０％水切れ時間が１分以下。
Ｂ：５０％水切れ時間が１分を超え、２分以下。
Ｃ：５０％水切れ時間が２分を超え、３分以下。
Ｄ：５０％水切れ時間が３分を超える。                
【００４３】
［泡持続性（泡立ちと泡量の持続性）の評価方法］
モデル油汚垢としてオリーブ油１ｇと水５ｇを採取した皿（直径２１ｃｍ）をモデル油汚垢皿とし、当該モデル油汚垢皿を３０枚用意した。
縦１１．５ｃｍ×横７．５ｃｍ×高さ３ｃｍの食器洗い用スポンジ（住友スリーエム（株）製、商品名：スコッチブライト）に、２５℃水道水３８ｇと洗浄剤組成物２ｇをそれぞれ取り、３回手で揉んだ後の食器洗い用スポンジをモデル油汚垢皿と接触させ、モデル油汚垢と食器洗い用スポンジとを馴染ませた。その後、食器洗い用スポンジをモデル油汚垢皿に押さえつけた状態で円を２周描くように動かして擦り洗いを行った。
そして、食器洗い用スポンジには水道水と洗浄剤組成物を新たに注ぎ足すことなく、連続してモデル油汚垢皿を擦り洗い続け、擦り洗い後のモデル油汚垢皿の上に泡が残らない（確認できない）状態になるまで洗い続けた。洗った皿の枚数に基づき下記の基準で評価した。評価Ａ〜Ｃが合格である。
Ａ：２０枚以上。
Ｂ：１８枚以上。
Ｃ：１６枚以上。
Ｄ：１５枚以下。
【００４４】
【表１】
0006678067.tif 000006
【００４５】
【表２】
0006678067.tif 000007
【００４６】
【表３】
0006678067.tif 000008
【００４７】
表１〜３の結果に示されるように、本発明を適用した実施例１〜２８の洗浄剤組成物は洗浄力と水切れ性が優れていた。
また、表３の実施例２５〜２８の結果に示されるように、（Ｂ）成分に加えてノニオン界面活性剤（Ｄ−１）を含有させることにより泡持続性が向上した。
（Ａ）成分を含まない比較例１は水切れ性は良好であるが、洗浄力に劣っていた。
（Ｂ）成分を含まない比較例２は洗浄力は良好であるが、水切れ性に劣っていた。
（Ｃ）成分を含まない比較例３は洗浄力は良好であるが、水切れ性に劣っていた。
（Ａ１）成分を含まず、（Ａ１）成分以外のアニオン界面活性剤を含む比較例４は、洗浄力は良好であるが、水切れ性に劣っていた。
（Ｂ）成分を含まず、（Ｂ）成分以外のノニオン界面活性剤（Ｄ−２）を含む比較例５は、洗浄力は良好であるが、水切れ性に劣っていた。
（Ａ）成分／界面活性剤総量の値が小さい比較例６は、水切れ性は良好であるが、洗浄力に劣っていた。
（Ａ）成分／界面活性剤総量の値が大きい比較例７は、洗浄力は良好であるが、水切れ性に劣っていた。